(57)【特許請求の範囲】
【請求項１】
電気導体又は電気導体に接続した電気機器を密閉容器に収納し、密閉容器内に電気絶縁性ガスを封入したガス絶縁電気機器において、上記電気絶縁性ガスにＣＦ３Ｉを使用すると共に、ＣＦ３Ｉが液化しない温度にＣＦ３Ｉを暖める加熱手段を密閉容器に設けることを特徴とするガス絶縁電気機器。
【請求項２】
前記密閉容器は、電気導体又は電気機器ごとに区分された密閉容器であり、電流遮断時にアークを発生する機器を収納した密閉容器内にはＳＦ６ガスを封入し、それ以外の機器を収納した密閉容器にはＣＦ３Ｉを封入したことを特徴とする請求項１記載のガス絶縁電気機器。
【請求項３】
前記加熱手段は、前記密閉容器に設けた電気ヒータであることを特徴とする請求項１又は２記載のガス絶縁電気機器。
【請求項４】
電気導体又は電気導体に接続した電気機器を密閉容器に収納し、密閉容器内に電気絶縁性ガスを封入したガス絶縁電気機器において、前記密閉容器は、変圧器を収納した密閉容器とそれ以外の電気機器を収納した密閉容器とからなり、前記変圧器を収納した密閉容器とそれ以外の電気機器を収納した密閉容器とにそれぞれ前記電気絶縁性ガスとしてＣＦ３Ｉを封入すると共に、前記変圧器の密閉容器とそれ以外の電気機器の密閉容器との間に加熱手段を設け、この加熱手段を、前記変圧器の密閉容器からそれ以外の電気機器の密閉容器に前記ＣＦ３Ｉを循環させるダクトと、このダクトに設けた送風機とで構成し、前記変圧器の密閉容器内で暖められたＣＦ３Ｉを前記変圧器以外の電気機器の密閉容器に循環させることを特徴とするガス絶縁電気機器。
【請求項５】
前記密閉容器内の温度を検出する温度測定手段を設けると共に、この温度測定手段の検出値により前記加熱手段を前記ＣＦ３Ｉが液化しない温度に制御する制御部を設けることを特徴とする請求項１，２，３又は４記載のガス絶縁電気機器。
【発明の詳細な説明】
【０００１】
【発明の属する技術分野】
本発明は、絶縁性ガスで絶縁した電気機器を有するガス絶縁電気機器に関するものである。
【０００２】
【従来の技術】
近年、変電所の遮断器や断路器、母線、ブッシングは外側が密閉型金属容器から成り、容器内に封入したＳＦ6ガスで絶縁されたガス絶縁開閉装置で構成されている。しかし、最近の研究によりＳＦ6は地球温暖化係数が極めて大きなガスであることが明らかにされ、ＳＦ6の使用量の削減が世界的規模で必要とされている。尚、電気絶縁性ガスを電気機器に使用した技術として特開昭６０−１３４１４号公報、特開昭６０−２０４０５号公報、特開昭６０−２０４０６号公報、特開平２−２０４９０７号公報を挙げることができる。
【０００３】
【発明が解決しようとする課題】
地球温暖化係数がＣＯ2より小さく、オゾン破壊係数が０であり、不燃性で、かつ毒性が極めて弱いガスにＣＦ3Ｉがある。しかし、ＣＦ3ＩはＳＦ6よりも飽和温度が高いため、ガス絶縁開閉装置に用いると低温時に液化が生じる可能性がある。ガス絶縁開閉装置内でＣＦ3Ｉが液化すると、絶縁耐力が急激に低下し、絶縁破壊に至る恐れがある。
【０００４】
本発明の目的は、ＳＦ6ガスよりも地球温暖化係数の小さい電気絶縁性ガスとしてＣＦ3Ｉを使用した時に、ガス絶縁開閉装置の運転中に液化することはなく、絶縁耐力の低下を防止して、絶縁破壊に至ることのない優れた電気絶縁性を確保でき、不燃性で、毒性がほとんど無く、なおかつオゾン破壊係数が０のガス絶縁電気機器を提供することにある。
【０００５】
【課題を解決するための手段】
ＣＦ3Ｉの絶縁耐力の一例としてＡＣ破壊電圧を図２に示す。該図は横軸にガス圧力（ＭＰａ）を示し、その時のＡＣ破壊電圧（ＳＦ6０．１ＭＰａ基準）を縦軸に示している。該図から明らかなごとく、ＣＦ3Ｉの電気絶縁性は、気体状態ではＳＦ6と同等以上である。また、化学的安定性については、光で分解しやすいが、ガス絶縁開閉装置の母線、避雷器、ブッシングでは密閉容器内に封入して用いられるため、実用上は問題にならない。
【０００６】
図３にガス絶縁開閉装置を例にとって定格運転条件の温度が６０℃、圧力が０．５６８ＭＰａの運転線を横軸にガス温度ｔ（℃）、縦軸にガス圧力Ｐ（ＭＰａ）をとって示す。ＣＦ3Ｉの飽和圧力と温度の関係は図３の通りであり、ＣＦ3Ｉのガス圧力が蒸気圧曲線以上になると液化する。ガス絶縁開閉装置の母線、避雷器、ブッシングのように密閉された空間にＣＦ3Ｉが閉じこめられると、飽和温度以上の気体状態では温度が変化しても密度（比重量）一定の状態を保つため、ＣＦ3Ｉが液化することはない。
【０００７】
しかし、ＣＦ3Ｉは沸点（大気圧における飽和温度）が−２２．５℃であり、飽和温度がＳＦ6に比べて高いため、気温の低い寒冷地域や冬季に使用する場合等、ガス絶縁開閉装置の母線、避雷器、ブッシングの密閉容器内のガス温度が飽和温度と等しくなることが考えられる。この場合、密閉容器内のガス温度が低下すると図３に示す蒸気圧曲線と交差して液化が始まり、密度一定の状態から外れて蒸気圧曲線に沿った温度と圧力になり、圧力が急激に低下する。気体の密度（比重量）は温度が同じであれば圧力に比例するので、気体の密度（比重量）も急激に低下する。
【０００８】
絶縁耐力の一例であるＡＣ破壊電圧ＶB.D.と気体の密度（比重量）γとの間には、おおよそＶB.D.∝γ０.９の関係があるため、ＡＣ破壊電圧ＶB.Dも急激に低下する。従って、ガス絶縁開閉装置の使用範囲でＣＦ3Ｉに液化が生じれば、絶縁耐力が急激に低下し、絶縁破壊に至る恐れがあり、この点を考慮する必要がある。
【０００９】
そこで、本発明では上記目的を達成するために、ＣＦ3Ｉを絶縁冷却媒体として用いて運転する際に、装置が運転状態にあるときは、ＣＦ3Ｉは常に気体状態に保たれていることを特徴とする。
【００１０】
具体的には、ＣＦ3Ｉを絶縁性ガスとするガス絶縁開閉装置の運転を保証する最低気温ｔmin℃におけるＣＦ3Ｉの飽和圧力がＰminＭＰａであり、ガス絶縁開閉装置内のＣＦ3Ｉのガス温度ｔ℃とガス圧力ＰＭＰａの関係が  Ｐ≧（Ｐmin／（ｔmin＋２７３．１５））・（ｔ＋２７３．１５）の場合に、ガス温度をガス絶縁開閉装置内のＣＦ3Ｉの比重量(密度)γとガス定数Ｒを使って表される。
【００１１】
Ｐ＝γＲ（ｔ＋２７３．１５）とＣＦ3Ｉの蒸気圧曲線の交点の温度以上にすることを特徴とする。
【００１２】
更に、ＣＦ3Ｉを含む混合物を絶縁性ガスとするガス絶縁開閉装置の運転を保証する最低気温ｔmin℃におけるＣＦ3Ｉの飽和圧力がＰminＭＰａであり、ガス絶縁開閉装置内のＣＦ3Ｉのガス温度ｔ℃とガス分圧ＰCF3IＭＰａの関係が  ＰCF3I≧（Ｐmin／（ｔmin＋２７３．１５））・（ｔ＋２７３．１５）の場合に、ガス温度を、ガス絶縁開閉装置内のＣＦ3Ｉの比重量(密度)γとガス定数を使って表される。
【００１３】
ＰCF3I＝γＲ（ｔ＋２７３．１５）  とＣＦ3Ｉの蒸気圧曲線の交点の温度以上にすることを特徴とする。
【００１４】
ＣＦ3Ｉを含む混合物を絶縁性ガスとして用いる場合、ＣＦ3Ｉ以外の物質としては、電気絶縁性に優れ、不燃性で、毒性が無く、地球温暖化係数、オゾン破壊係数とも０であり、かつ、安価なＮ2が好ましく用いることができるが、ヘリウム，ネオン，アルゴン，キセノンのような希ガス、あるいは、ＣＯ2、その他の汎用物質を用いることができる。また、ＳＦ6，Ｃ2Ｆ6，Ｃ4Ｆ8等と混合して用いて、電気絶縁性に優れるが、地球温暖化係数が大きいこれらの物質の使用量を低減することができる。
【００１５】
即ち、このようなガス絶縁電気機器の運転方法では、ガス絶縁電気機器の最低使用気温においても、ガス絶縁電気機器内のＣＦ3Ｉのガス温度はガス絶縁電気機器内のＣＦ3Ｉのガス圧力、或いはガス分圧における飽和温度以上に保たれているので、ＣＦ3Ｉが液化することはない。このため、運転範囲のガス温度におけるＣＦ3Ｉの密度(比重量)は一定になり、ＡＣ破壊電圧で代表される絶縁耐力の低下が防止され、優れた電気絶縁性を確保できる。
【００１６】
つまり、ＣＦ3Ｉ、或いはＣＦ3Ｉを含む混合物を絶縁性ガスとして用いることにより電気絶縁性に優れ、不燃性で、毒性がほとんど無く、なおかつ地球温暖化係数がＣＯ2より小さく、オゾン破壊係数０のガス絶縁電気機器として使用することが可能になる。
【００１７】
【発明の実施の形態】
以下、本発明の実施例を図面を参照して説明する。図４はガス絶縁開閉装置の絶縁性ガスとしてＣＦ3Ｉを用いた場合のガス絶縁開閉装置の運転方法の一実施例であり、開閉装置の運転を保証する最低気温ｔmin℃におけるＣＦ3Ｉの飽和圧力がＰminＭＰａであり、開閉装置内のＣＦ3Ｉのガス温度ｔ℃とガス圧力ＰＭＰａの関係が  Ｐ≧（Ｐmin／（ｔmin＋２７３．１５））・（ｔ＋２７３．１５）（これは、絶対温度：Ｔmin、Ｔ（Ｋ）とすれば、Ｐ≧（Ｐmin／Ｔmin）・Ｔと表される。華氏温度：ｔFmin、ｔF（１゜Ｒ）とすれば、Ｐ≧（Ｐmin／（ ｔFmin＋４５９．６７））・（ ｔF＋４５９．６７）と表される。）の場合である。
【００１８】
この場合、気温が低くて起動時等のように開閉装置内のＣＦ3Ｉのガス温度が低い時にはＣＦ3Ｉが液化する。それを防ぐためのガス絶縁開閉装置の構成を図６に示す。
【００１９】
図６に示す通り、ガス絶縁開閉装置は電流を遮断する遮断器１、高電圧の加わっている高電圧導体２ａ〜２ｃを電気的に切り離す断路器３ａ〜３ｃ、送電線からの高電圧を導入するガスで絶縁されたブッシング４、サージ電圧を抑制するための避雷器５、及びこれらを連結する母線６ａ〜６ｇで構成される。それぞれの部分は絶縁物で出来たスペーサ７ａ〜７ｌで区切られている。ガス絶縁開閉装置はダクト８ａ，８ｂによりガス絶縁変圧器１２に接続されている。
【００２０】
また、遮断器１、断路器３、母線６、避雷器５、ブッシング４はダクト８ｃ〜８Ｌで連結されている。遮断器１、断路器３、母線６、避雷器５、ブッシング４、ガス絶縁変圧器１２を連結するダクト８にはバルブ１３ａ〜１３Ｌが設けられている。遮断器１、断路器３、ブッシング４、避雷器５、母線６の密閉容器内及びガス絶縁変圧器１２内には、絶縁性ガスであるＣＦ3Ｉが充填されている。ダクト８ａの途中には送風機１１が設けられている。
【００２１】
このような構成にすれば、ガス絶縁変圧器１２内、遮断器１、断路器３、母線６、避雷器５、ブッシング４の密閉容器内に充填してある絶縁性ガスであるＣＦ3Ｉを送風機１１を用いて循環させることができる。このため、遮断器１、断路器３、母線６、避雷器５、ブッシング４の各密閉容器内には変圧器１２で飽和温度以上に加熱されたＣＦ3Ｉが常に流れることになる。
【００２２】
図４に示すように、開閉装置の定格負荷条件のＣＦ3Ｉのガス温度をｔf℃、ガス圧力をＰfＭＰａ、また比重量（密度）をγｋｇ／m3、ガス定数をＲとすると、気体の状態のＣＦ3Ｉは  Ｐ＝（Ｐf／（ｔf＋２７３．１５））・（ｔ＋２７３．１５）＝γＲ（ｔ＋２７３．１５）（これは絶対温度：Ｔf、Ｔ（Ｋ）とすれば、Ｐ＝（Ｐf／Ｔf）・Ｔ＝γＲＴと表される。華氏温度：ｔF，f，ｔF（oＲ）とすれば、Ｐ＝（Ｐf／（ ｔF，f＋４５９．６７））・（ｔF＋４５９．６７）＝γＲ（ｔF＋４５９．６７）と表される。）で表されるガス温度t℃とガス圧力ＰＭＰａの運転線上の状態を保つことになる。
【００２３】
この直線とＣＦ3Ｉの蒸気圧曲線の交点の温度以上になるようにＣＦ3Ｉのガス温度は維持されるので、気温が低くて起動時等のように開閉装置が暖まっていないときでもＣＦ3Ｉの液化が生じないので、絶縁耐力の低下を防止することができる。
【００２４】
図５はガス絶縁開閉装置の絶縁冷却媒体としてＣＦ3Ｉを含む混合物を用いた場合のガス絶縁開閉装置の運転方法の一実施例であり、ガス絶縁開閉装置の運転を保証する最低気温ｔmin℃におけるＣＦ3Ｉの飽和圧力がＰminＭＰａであり、開閉装置内のＣＦ3Ｉのガス温度ｔ℃とガス分圧ＰCF3IＭＰａの関係が  ＰCF3I≧（Ｐmin／（ｔmin＋２７３．１５））・（ｔ＋２７３．１５）（これは、絶対温度：Ｔmin、Ｔ（Ｋ）とすれば、ＰCF3I≧（Ｐmin／Ｔmin）・Ｔと表される。華氏温度：ｔＦmin、ｔＦ（oＲ）とすれば、ＰCF3I≧（Ｐmin／（ ｔＦmin＋４５９．６７））・（ ｔＦ＋４５９．６７）と表される。）の場合である。
【００２５】
ＣＦ3Ｉと他の物質の混合物の場合、ＣＦ3Ｉの液化はＣＦ3Ｉの分圧で評価すればよく、開閉装置の定格負荷条件のＣＦ3Ｉのガス温度ｔf℃、ガス分圧をＰf,CF3IＭＰａ、また、比重量（密度）をγｋｇ／m3、ガス定数をＲとすると、  ＰCF3I＝（Ｐf,CF3I／（ｔf＋２７３．１５））・（ｔ＋２７３．１５）＝γＲ（ｔ＋２７３．１５）（これは絶対温度：Ｔf、Ｔ（Ｋ）とすれば、ＰCF3I＝（Ｐf,CF3I／Ｔf）・Ｔ＝γＲＴと表される。華氏温度：ｔF，f，ｔF（oＲ）とすれば、ＰCF3I＝（Ｐf,CF3I／（ｔF，f＋４５９．６７））・（ｔF＋４５９．６７）＝γＲ（ｔF＋４５９．６７）と表される。）
とＣＦ3Ｉの蒸気圧曲線の交点の温度以上になるようにガス温度を上げて、ＣＦ3Ｉを含む混合物のガス温度を飽和温度以上に保てば、起動時等のように開閉装置の温度が低いときにもＣＦ3Ｉを含む混合物が液化しないので、絶縁耐力の低下を防ぐことができる。
【００２６】
ガス絶縁開閉装置内で事故時などに大電流が流れている電路を遮断する機器は遮断器１であるが、この時に遮断器１の密閉容器内ではアークが発生する。アークによる光や高い温度で密閉容器内の絶縁性ガスであるＣＦ3Ｉが分解すると、十分な絶縁耐力と遮断性能が確保できない恐れがある。この場合、図７の実施例のように遮断器１にはアーク発生時にも分解しにくく絶縁耐力と遮断性能に優れたＳＦ6等を封入し、それ以外の断路器３、母線６等の密閉容器内に絶縁性ガスであるＣＦ3Ｉを封入すればよい。
【００２７】
また、定期点検などで電路を切り離す断路器３においては小電流しか流れないが、アークの発生により断路器３の密閉容器内のＣＦ3Ｉの絶縁耐力や遮断性能が低下する場合には、図１のように遮断器１や断路器３のような電路を機械的に入り切りする開閉器以外の母線６、避雷器５、ブッシング４の密閉容器内にのみ絶縁ガスとしてＣＦ3Ｉを使用し、遮断器１や断路器３にはＳＦ6を使用すればよい。
【００２８】
油入り変圧器の場合、タンク内で暖められた油をダクト８に通すか、油で暖められたタンクにダクト８を接触させ、そのダクト８を母線６、避雷器５、ブッシング４等の各密閉容器に接続し、ダクト８の途中に送風機１１を設置する構成とすれば、ダクト８で接続されている母線６、避雷器５、ブッシング４等の各密閉容器内のＣＦ3Ｉ、或いはＣＦ3Ｉを含む混合物を送風機１１により循環させることによって、油入り変圧器のタンク内で暖められた油の熱を利用し、ＣＦ3Ｉを暖めることができる。
【００２９】
図８に本発明の他の一実施例を示す。該図において、リードダクト１４内にはガス絶縁変圧器１２ａ〜１２ｃとタップ切換器１５を接続するタップリード線１６、中性点リード線１７、二次リード線１８が引き回されている。ガス絶縁変圧器１２とリードダクト１４の接続部は絶縁物で出来たスペーサ７ａ〜７ｆで気密に仕切られている。ガス絶縁変圧器１２とリードダクト１４はダクト８ａ〜８Ｌにより連通されており、途中にバルブ１３ａ〜１３ｆと送風機１１ａ〜１１ｆが設置されている。リードダクト１４内にはＣＦ3Ｉ、或いはＣＦ3Ｉを含む混合物が封入されている。
【００３０】
このような構成にすれば、ガス絶縁変圧器１２内で使用している絶縁冷却媒体であるＣＦ3Ｉ、或いはＣＦ3Ｉを含む混合物をダクト８を通して送風機１１により、リードダクト１４内に循環させることができる。リードダクト１４内のＣＦ3Ｉ、或いはＣＦ3Ｉを含む混合物はガス絶縁変圧器１２内で飽和温度以上になったガスが供給されることになるので、ガス温度を飽和温度以上に維持することが可能となる。
【００３１】
このような運転方法を行うことにより、リードダクト内のＣＦ3Ｉ、或いはＣＦ3Ｉを含む混合物のガス温度を飽和温度以上に保てば、起動時等のようにリードダクトの温度が低いときにもＣＦ3Ｉ、或いはＣＦ3Ｉを含む混合物が液化しないので、絶縁耐力の低下を防ぐことができる。
【００３２】
図９に本発明による別の一実施例を示す。該図ではガス絶縁開閉装置は電流を遮断する遮断器１、高電圧の加わっている高電圧導体２ａ〜２ｃを電気的に切り離す断路器３ａ〜３ｃ、送電線からの高電圧を導入するガスで絶縁されたブッシング４、サージ電圧を抑制するための避雷器５、及びこれらを連結する母線６ａ〜６ｆで構成される。それぞれの部分は絶縁物でできたスペーサ７ａ〜７Ｌで気密に仕切られている。更に、母線６、避雷器５、ブッシング４の密閉容器内にガス温度が低い場合の加熱手段として電気ヒータ９ａ〜９ｉを取り付けてある。
【００３３】
このような構成にすれば、母線６、避雷器５、ブッシング４の密閉容器内にＣＦ3Ｉ、或いはＣＦ3Ｉを含む混合物が飽和温度以上になるまで、電気ヒータ９ａ〜ｉを運転してガスを暖め、飽和温度以上になった時点で開閉装置本体を運転することが可能となる。
【００３４】
上述のような運転方法を行うことにより、ＣＦ3Ｉ、或いはＣＦ3Ｉを含む混合物を加熱手段によって加熱して、ガス温度を飽和温度以上に保てば、起動時等のように開閉装置の温度が低いときにも、ＣＦ3Ｉ或いはＣＦ3Ｉを含む混合物が液化しないので、絶縁耐力の低下を防ぐことができる。
【００３５】
加熱手段は必ずしも、電気ヒータである必要はなく、ガス絶縁開閉装置の母線６、避雷器５、ブッシング４に接して設けられた配管に水蒸気のような高温の流体を流してもよいし、油入り変圧器のタンク内で暖められた油を配管に流して、この配管の熱を利用し、各密閉容器内のＣＦ3Ｉ、或いはＣＦ3Ｉを含む混合物を暖めてもよい。
【００３６】
更に、図１０に本発明による一実施例を示す。同図に示す管路気中送電線はシース１０内に高電圧の加わっている高電圧導体２、ガス区画を形成するためのスペーサ７が設置され、ガス区画間はダクト８で連結されている。端のガス区画はダクト８でガス絶縁変圧器１２と繋がっており、ダクト８の途中には送風機１１が設けられている。シース１０内には絶縁性ガスとしてＣＦ3Ｉ、或いはＣＦ3Ｉを含む混合物が封入してあり、送風機１１により絶縁性ガスを循環させるように構成してある。
【００３７】
このような構成にすることにより、ＣＦ3Ｉ、或いはＣＦ3Ｉを含む混合物をガス絶縁変圧器１２からダクト８を通してシース１０内に送風機１１により送り込むことができる。シース１０内は変圧器１２内で飽和温度以上になったＣＦ3Ｉ、或いはＣＦ3Ｉを含む混合物が流れることになるので、ガス温度を飽和温度以上に維持することが可能となる。
【００３８】
上記実施例で示した運転方法のように、管路気中送電線内のＣＦ3Ｉ、或いはＣＦ3Ｉを含む混合物のガス温度を飽和温度以上に保てば、起動時等のように管路気中送電線の温度が低いときにも、ＣＦ3Ｉ或いはＣＦ3Ｉを含む混合物が液化しないので、シース内の絶縁性ガスであるＣＦ3Ｉが液化し絶縁耐力の低下することはない。
【００３９】
図９の電気ヒータ９ａを制御部１００に接続し、密閉容器内の温度を温度検出器１００Ｘで検出した検出結果により、制御部１００で電気ヒータ９ａに流す電流値を制御して、ＣＦ3Ｉが液化し絶縁耐力の低下しない温度に制御している。
【００４０】
また図１０では制御部１００のＣＦ3Ｉが液化し絶縁耐力の低下しない温度に相当する電流値を基準電流値として制御部１００に記憶して置き、送風機１１を回転させるモータ１００ｙに流れる電流値を基準電流値に成るように常に制御部１００で制御し、送風機１１から送風量を制御する場合には、必ずしも温度検出器１００Ｘは必要ない。
【００４１】
【発明の効果】
本発明によれば、ＣＦ3Ｉ、或いはＣＦ3Ｉを含む混合物を絶縁性ガスとして用いるガス絶縁電気機器において、ＣＦ3Ｉの液化が生じなくなり、絶縁耐力の低下が防止できる結果、地球温暖化係数がＣＯ2より小さく、電気絶縁性に優れ、不燃性で、毒性がほとんど無く、尚且つオゾン破壊を少なくして自然環境を良好に出来る。
【００４２】
また密閉容器の一部に加熱手段を設けてＣＦ3Ｉが液化しない温度にしているから、ＣＦ3Ｉの絶縁耐力の低下を防止することが出来る。
【図面の簡単な説明】
【図１】本発明の一実施例を示すガス絶縁開閉装置の断面図である。
【図２】ＣＦ3ＩとＳＦ6のＡＣ破壊電圧の測定結果を示す特性図である。
【図３】ＣＦ3Ｉを絶縁冷却媒体とするガス絶縁開閉装置における運転範囲を示す特性図である。
【図４】ＣＦ3Ｉを絶縁冷却媒体とするガス絶縁開閉装置の実施例における運転範囲を示す特性図である。
【図５】ＣＦ3Ｉ、或いはＣＦ3Ｉを含む混合物を絶縁冷却媒体とするガス絶縁開閉装置の実施例における運転範囲を示す特性図である。
【図６】本発明の別の実施例を示すガス絶縁開閉装置の断面図である。
【図７】本発明の別の実施例を示すガス絶縁開閉装置の断面図である。
【図８】本発明の一実施例を示すガス絶縁変圧器に接続されるリードダクトの断面図である。
【図９】本発明の一実施例を示す加熱手段を備えたガス絶縁開閉装置の断面図である。
【図１０】本発明の一実施例を示す管路気中送電線の断面図である。
【符号の説明】
１…遮断器、2…高圧導体、３…断路器、４…ブッシング、５…避雷器、６…母線、７…スペーサ、８…ダクト、９…電気ヒータ、１０…シース、１１…送風機、１２…ガス絶縁変圧器、１３…バルブ、１４…リードダクト、１５…タップ切換器、１６…タップリード線、１７…中性点リード線、１８…二次リード線。
【図１】
0003983916.tif 000002
【図２】
0003983916.tif 000003
【図３】
0003983916.tif 000004
【図４】
0003983916.tif 000005
【図５】
0003983916.tif 000006
【図６】
0003983916.tif 000007
【図７】
0003983916.tif 000008
【図８】
0003983916.tif 000009
【図９】
0003983916.tif 000010
【図１０】
0003983916.tif 000011